【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
通信セル内に存在することを基地局へ通知する存在通知手段と、
他の通信端末から着信があった旨の履歴を受け取る受信手段と、
を備えることを特徴とする通信端末。
【請求項２】
さらに、前記通信端末の電源の電圧値を一定の時間間隔で測定する電圧測定手段と、
前記電圧測定手段の測定する電源の電圧値が、前記電源の切断時刻の所定時間前に対応する電圧値未満となった場合は、前記通信端末の加入者番号、前記電圧値未満となった時刻及び電池の消耗によって電源切断となることを電源切断前に基地局に送信する消耗送信手段と、を備えることを特徴とする請求項１に記載の通信端末。
【請求項３】
さらに、前記通信端末の電源スイッチによって電源切断動作を開始するとき、前記通信端末の加入者番号、電源スイッチによって電源切断動作を開始した時刻及び電源スイッチによって電源切断となることを、電源切断前に基地局に送信する切断送信手段を備えることを特徴とする請求項１又は２に記載の通信端末。
【請求項４】
前記通信端末は、さらに全地球測位システムを利用した測位手段を備え、
前記消耗送信手段は、さらに、前記電圧測定手段の測定する電源の電圧値が、前記電源の切断時刻の所定時間前に対応する電圧値未満となった場合に、前記電圧値未満となった時刻における前記測位手段で測位した位置を電源切断前に基地局に送信することを特徴とする請求項２又は３に記載の通信端末。
【請求項５】
前記切断送信手段は、さらに、前記通信端末の電源が、前記通信端末の電源スイッチによって電源切断動作を開始するとき、前記電源スイッチによって電源切断動作を開始した時刻における前記測位手段で測位した位置を電源切断前に基地局に送信することを特徴とする請求項２から４のいずれかに記載の通信端末。
【請求項６】
さらに、不通の理由を送信する対象となる他の通信端末の情報を、予め基地局へ送信する理由送信手段を備えることを特徴とする請求項１から５のいずれかに記載の通信端末。
【請求項７】
さらに、前記電圧測定手段の電源の電圧値を測定する時間間隔を設定する時間間隔入力手段を備えることを特徴とする請求項２から６のいずれかに記載の通信端末。
【請求項８】
さらに、前記電源の切断時刻の所定時間前を設定する前時間入力手段を備えることを特徴とする請求項２から７のいずれかに記載の通信端末。
【請求項９】
通信端末が通信セル内に存在することを示す通知を受信する通知受信手段と、
前記通知受信手段が通知を受信しない場合は、前記通信端末は通信圏外にあると判断し、前記通信圏外の通信端末へ他の通信端末から着信があった旨の履歴を記憶する履歴手段と、
前記通知受信手段が通知を受信した場合は、前記通信端末は通信圏内にあると判断し、前記通信圏内の通信端末へ前記履歴手段で記憶した履歴を送信した後に、前記履歴を消去する消去手段と、を備えることを特徴とする基地局。
【請求項１０】
請求項１から８のいずれかに記載の通信端末又は請求項９に記載の基地局を備える通信端末の通知システム。
【請求項１１】
通信端末が通信セル内に存在することを基地局へ通知する存在通知手順と、
他の通信端末から着信があった旨の履歴を受け取る受信手順と、
を順に有することを特徴とする通信端末の通知方法。
【請求項１２】
さらに、前記通信端末の電源の電圧値を一定の時間間隔で測定する電圧測定手順と、
前記電圧測定手順で測定する電源の電圧値が、前記電源の切断時刻の所定時間前に対応する電圧値未満となった場合は、前記通信端末の加入者番号、前記電圧値未満となった時刻及び電池の消耗によって電源切断となることを電源切断前に基地局に送信する消耗送信手順と、を順に、前記存在通知手順の前に有することを特徴とする請求項１１に記載の通信端末の通知方法。
【請求項１３】
通信端末が通信セル内に存在することを示す通知を受信する通知受信手順と、
前記通知受信手順で通知を受信しない場合は、前記通信端末は通信圏外にあると判断し、前記通信圏外の通信端末へ他の通信端末から着信があった旨の履歴を記憶する履歴手順と、
前記通知受信手順で通知を受信した場合は、前記通信端末は通信圏内にあると判断し、前記通信圏内の通信端末へ前記履歴手順で記憶した履歴を送信した後に、前記履歴を消去する消去手順と、を順に有する基地局の通知方法。
【請求項１４】
通信端末で、通信セル内に存在することを基地局へ通知する存在通知手順と、
前記基地局で、前記通信端末が前記通信セル内に存在することを示す通知を受信する通知受信手順と、
前記基地局で、前記通知受信手順で通知を受信しない場合は、前記通信端末は通信圏外にあると判断し、前記通信圏外の通信端末へ他の通信端末から着信があった旨の履歴を記憶する履歴手順と、
前記基地局で、前記通知受信手順で通知を受信した場合は、前記通信端末は通信圏内にあると判断し、前記通信圏内の通信端末へ前記履歴手順で記憶した履歴を送信した後に、前記履歴を消去する消去手順と、
前記通信端末で、他の通信端末から着信があった旨の履歴を受け取る受信手順と、
を順に有することを特徴とする通信端末の通知システムの通知方法。
【請求項１５】
コンピュータに、
通信端末が通信セル内に存在することを基地局へ通知する存在通知ステップと、
他の通信端末から着信があった旨の履歴を受け取る受信ステップと、
を順に実行させる通信端末の通知プログラム。
【請求項１６】
さらに、コンピュータに、
前記通信端末の電源の電圧値を一定の時間間隔で測定する電圧測定ステップと、
前記電圧測定ステップで測定する電源の電圧値が、前記電源の切断時刻の所定時間前に対応する電圧値未満となった場合は、前記通信端末の加入者番号、前記電圧値未満となった時刻及び電池の消耗によって電源切断となることを電源切断前に基地局に送信する消耗送信ステップと、
を順に前記存在通知ステップの前に有し、実行させることを特徴とする請求項１５に記載の通信端末の通知プログラム。
【請求項１７】
コンピュータに、
通信端末が通信セル内に存在することを示す通知を受信する通知受信ステップと、
前記通知受信ステップで通知を受信しない場合は、前記通信端末は通信圏外にあると判断し、前記通信圏外の通信端末へ他の通信端末から着信があった旨の履歴を記憶する履歴ステップと、
前記通知受信ステップで通知を受信した場合は、前記通信端末は通信圏内にあると判断し、前記通信圏内の通信端末へ前記履歴ステップで記憶した履歴を送信した後に、前記履歴を消去する消去ステップと、を順に有し、実行させる基地局の通知プログラム。
【請求項１８】
コンピュータに、
前記通信端末で、通信セル内に存在することを基地局へ通知する存在通知ステップと、
基地局で、通信端末が通信セル内に存在することを示す通知を受信する通知受信ステップと、
前記基地局で、前記通知受信ステップで通知を受信しない場合は、前記通信端末は通信圏外にあると判断し、前記通信圏外の通信端末へ他の通信端末から着信があった旨の履歴を記憶する履歴ステップと、
前記基地局で、前記通知受信ステップで通知を受信した場合は、前記通信端末は通信圏内にあると判断し、前記通信圏内の通信端末へ前記履歴ステップで記憶した履歴を送信した後に、前記履歴を消去する消去ステップと、
前記通信端末で、他の通信端末から着信があった旨の履歴を受け取る受信ステップと、
を順に実行させることを特徴とする通信端末の通知システムの通知プログラム。